(57)【特許請求の範囲】
【請求項１】
音声ファイルと画像ファイルとが混在して記録されている記録媒体を再生する映像音声再生装置において、
前記記録媒体からファイル管理情報を入力し、入力した前記ファイル管理情報に基づいて前記音声ファイルと前記画像ファイルとを関連付けるファイル編集部と、
前記音声ファイルと前記画像ファイルとをデコードし、前記ファイル編集部にて関連付けられた前記音声ファイルの音声と前記画像ファイルの画像とを同時に視聴できるように再生する映像音声再生部と、
外部からの入力情報によって、少なくとも音声優先モードと画像優先モードとを含む再生モードが設定可能なモード設定部と、
を備え、
前記音声優先モードに設定されたときには、
前記ファイル編集部は、
前記ファイル管理情報の中から音声ファイルの管理情報を抽出し前記記録媒体に記録されている音声ファイルの記録順に配列する一方、前記ファイル管理情報の中から画像ファイルの管理情報を抽出し、前記音声ファイルに対して前記画像ファイルを１対１又は１対複数に関連付け、
前記映像音声再生部は、
前記ファイル編集部にて配列された順に前記記録媒体から前記音声ファイルを読み出して順次再生する一方、次の音声ファイルの再生に先立って各音声ファイルに関連付けられた１又は複数の画像ファイルを前記記録媒体から読み出し、読み出した前記１又は複数の画像ファイルと前記各音声ファイルの再生を同時に開始し、各音声ファイルの再生が終了するまで前記画像ファイルをデコードして得られる１枚又は複数枚の静止画像を継続的に再生し続ける、
ことを特徴とする映像音声再生装置。
【請求項２】
前記ファイル編集部は、
前記画像ファイルの数が前記音声ファイルの数よりも多い場合には前記画像ファイルの一部を切り捨てて関連付け、前記画像ファイルの数が前記音声ファイルの数よりも少ない場合には前記画像ファイルの一部を重複して関連付ける、
ことを特徴とする請求項１に記載の映像音声再生装置。
【請求項３】
前記モード設定部は、ノーマル再生モード及びランダム再生モードがさらに設定可能であり、
前記ファイル編集部は、
前記ノーマル再生モードに設定された場合には、前記記録媒体に記録された順に前記画像ファイルの管理情報を抽出して前記音声ファイルに関連付け、
前記ランダム再生モードに設定された場合には、前記記録媒体からランダムに前記画像ファイルの管理情報を抽出して前記音声ファイルに関連付ける、
ことを特徴とする請求項１に記載の映像音声再生装置。
【請求項４】
前記画像優先モードに設定されたときには、
前記ファイル編集部は、
前記ファイル管理情報の中から画像ファイルの管理情報を抽出し前記記録媒体に記録されている画像ファイルの記録順に配列する一方、前記ファイル管理情報の中から音声ファイルの管理情報を抽出し、前記画像ファイルに対して前記音声ファイルを１対１に関連付け、
前記映像音声再生部は、
前記ファイル編集部にて配列された順に前記記録媒体から前記画像ファイルを読み出し、予め定められた再生期間中、前記画像ファイルをデコードして得られる静止画像を継続的に再生する一方、前記各静止画像の再生期間中、各画像ファイルに関連付けられた前記各音声ファイルを読み出して再生する、
ことを特徴とする請求項１に記載の映像音声再生装置。
【請求項５】
前記画像優先モードに設定されたときには、
前記映像音声再生部は、
前記各音声ファイルの再生時間が前記各静止画像の再生期間よりも長い場合は、前記各静止画像の再生期間が終了した時点で前記各音声ファイルの再生を終了し、
前記各音声ファイルの再生時間が前記各静止画像の再生期間よりも短い場合は、前記各静止画像の再生期間中前記各音声ファイルを繰り返し再生する、
ことを特徴とする請求項４に記載の映像音声再生装置。
【請求項６】
前記画像優先モードに設定されたときには、
前記ファイル編集部は、
前記音声ファイルの数が前記画像ファイルの数よりも多い場合には前記音声ファイルの一部を切り捨てて関連付け、前記音声ファイルの数が前記画像ファイルの数よりも少ない場合には前記音声ファイルの一部を重複して関連付ける、
ことを特徴とする請求項４に記載の映像音声再生装置。
【請求項７】
前記画像優先モードに設定されたときには、
前記モード設定部は、ノーマル再生モード及びランダム再生モードがさらに設定可能であり、
前記ファイル編集部は、
前記ノーマル再生モードに設定された場合には、前記記録媒体に記録された順に前記音声ファイルの管理情報を抽出して前記画像ファイルに関連付け、
前記ランダム再生モードに設定された場合には、前記記録媒体からランダムに前記音声ファイルの管理情報を抽出して前記画像ファイルに関連付ける、
ことを特徴とする請求項４に記載の映像音声再生装置。
【請求項８】
前記ファイル編集部は、
前記ファイル管理情報に含まれるファイル名称と拡張子とを判別し、
音楽ファイルの拡張子を有するファイルと、画像ファイルの拡張子を有するファイルとが同一のファイル名称である場合には、これらのファイルを互いに関連付ける、
ことを特徴とする請求項１に記載の映像音声再生装置。
【請求項９】
音声ファイルと画像ファイルとが混在して記録されている記録媒体を再生する映像音声再生方法において、
前記記録媒体からファイル管理情報を入力し、入力した前記ファイル管理情報に基づいて前記音声ファイルと前記画像ファイルとを関連付け、
前記音声ファイルと前記画像ファイルとをデコードし、関連付けられた前記音声ファイルの音声と前記画像ファイルの画像とを同時に視聴できるように再生し、
外部からの入力情報によって、少なくとも音声優先モードと画像優先モードとを含む再生モードを設定する、
ステップを備え、
前記音声優先モードに設定されたときには、
前記関連付けステップでは、
前記ファイル管理情報の中から音声ファイルの管理情報を抽出し前記記録媒体に記録されている音声ファイルの記録順に配列する一方、前記ファイル管理情報の中から画像ファイルの管理情報を抽出し、前記音声ファイルに対して前記画像ファイルを１対１又は１対複数に関連付け、
前記再生ステップでは、
前記ファイル編集部にて配列された順に前記記録媒体から前記音声ファイルを読み出して順次再生する一方、次の音声ファイルの再生に先立って各音声ファイルに関連付けられた１又は複数の画像ファイルを前記記録媒体から読み出し、読み出した前記１又は複数の画像ファイルと前記各音声ファイルの再生を同時に開始し、各音声ファイルの再生が終了するまで前記画像ファイルをデコードして得られる１枚又は複数枚の静止画像を継続的に再生し続ける、
ことを特徴とする映像音声再生方法。
【請求項１０】
前記関連付けステップでは、
前記画像ファイルの数が前記音声ファイルの数よりも多い場合には前記画像ファイルの一部を切り捨てて関連付け、前記画像ファイルの数が前記音声ファイルの数よりも少ない場合には前記画像ファイルの一部を重複して関連付ける、
ことを特徴とする請求項９に記載の映像音声再生方法。
【請求項１１】
前記設定ステップでは、ノーマル再生モードとランダム再生モードとがさらに設定可能であり、
前記関連付けステップでは、
前記ノーマル再生モードに設定された場合には、前記記録媒体に記録された順に前記画像ファイルの管理情報を抽出して前記音声ファイルに関連付け、
前記ランダム再生モードに設定された場合には、前記記録媒体からランダムに前記画像ファイルの管理情報を抽出して前記音声ファイルに関連付ける、
ことを特徴とする請求項９に記載の映像音声再生方法。
【請求項１２】
前記画像優先モードに設定されたときには、
前記関連付けステップでは、
前記ファイル管理情報の中から画像ファイルの管理情報を抽出し前記記録媒体に記録されている画像ファイルの記録順に配列する一方、前記ファイル管理情報の中から音声ファイルの管理情報を抽出し、前記画像ファイルに対して前記音声ファイルを１対１に関連付け、
前記再生ステップでは、
前記ファイル編集部にて配列された順に前記記録媒体から前記画像ファイルを読み出し、予め定められた再生期間中、前記画像ファイルをデコードして得られる静止画像を継続的に再生する一方、前記各静止画像の再生期間中、各画像ファイルに関連付けられた前記各音声ファイルを読み出して再生する、
ことを特徴とする請求項９に記載の映像音声再生方法。
【請求項１３】
前記画像優先モードに設定されたときには、
前記再生ステップでは、
前記各音声ファイルの再生時間が前記各静止画像の再生期間よりも長い場合は、前記各静止画像の再生期間が終了した時点で前記各音声ファイルの再生を終了し、
前記各音声ファイルの再生時間が前記各静止画像の再生期間よりも短い場合は、前記各静止画像の再生期間中前記各音声ファイルを繰り返し再生する、
ことを特徴とする請求項１２に記載の映像音声再生方法。
【請求項１４】
前記画像優先モードに設定されたときには、
前記関連付けステップでは、
前記音声ファイルの数が前記画像ファイルの数よりも多い場合には前記音声ファイルの一部を切り捨てて関連付け、前記音声ファイルの数が前記画像ファイルの数よりも少ない場合には前記音声ファイルの一部を重複して関連付ける、
ことを特徴とする請求項１２に記載の映像音声再生方法。
【請求項１５】
前記画像優先モードに設定されたときには、
前記設定ステップでは、ノーマル再生モードとランダム再生モードとがさらに設定可能であり、
前記関連付けステップでは、
前記ノーマル再生モードに設定された場合には、前記記録媒体に記録された順に前記音声ファイルの管理情報を抽出して前記画像ファイルに関連付け、
前記ランダム再生モードに設定された場合には、前記記録媒体からランダムに前記音声ファイルの管理情報を抽出して前記画像ファイルに関連付ける、
ことを特徴とする請求項１２に記載の映像音声再生方法。
【請求項１６】
前記関連付けステップでは、
前記ファイル管理情報に含まれるファイル名称と拡張子とを判別し、
音楽ファイルの拡張子を有するファイルと、画像ファイルの拡張子を有するファイルとが同一のファイル名称である場合には、これらのファイルを互いに関連付ける、
ことを特徴とする請求項９に記載の映像音声再生方法。
【発明の詳細な説明】
【技術分野】
【０００１】
本発明は映像音声再生装置及び映像音声再生方法に係り、特に、夫々個別に作成された映像ファイルと音声ファイルとを連携して再生する映像音声再生装置及び映像音声再生方法に関する。
【背景技術】
【０００２】
近時、メモリカード等のリムーバブル半導体メモリや記録型光ディスク等の記録媒体が急速に普及してきている。これに伴って、ユーザがパーソナルコンピュータ等を利用して映像ファイルや音声ファイルをこれらの記録媒体に記録し、記録した映像や音声を様々な状況で視聴する形態が増えてきている。
【０００３】
例えば、映像や音楽を家庭内で視聴するだけではなく、携帯型の再生装置や車載型の再生装置によって屋外や車の中で視聴する形態も一般的になってきている。
【０００４】
ユーザが視聴するファイルには、映像と音声とが一連のストリームとして組み込まれている映像音声ファイルの他、ＪＰＥＧ等の静止画ファイルやＭＰ３等の音声ファイルなどのように映像と音声とが夫々別個に格納されているファイルも多い。
【０００５】
後者の場合、例えば１つの音声ファイルを再生して音楽を聴きながら、ある１つの曲の再生期間中に複数の静止画ファイルを順次再生してディスプレイに表示する、といった視聴形態で音声ファイルと静止画ファイルを再生する場合がある。特許文献１にはこのような視聴形態に対応する技術が開示されている。
【特許文献１】特開２００７−１４２５４６号公報
【発明の開示】
【発明が解決しようとする課題】
【０００６】
上述したように、パーソナルコンピュータ等の普及によって、ユーザ各自が自分の好みに応じた音楽や映像を記録型光ディスク（例えば、ＣＤ−Ｒ、ＣＤ−ＲＷ、ＣＤ−ＲＡＭ、ＤＶＤ−Ｒ、ＤＶＤ−ＲＷ、ＤＶＤ−ＲＡＭ等）や半導体メモリに記録する形態が増えてきている。例えば、インターネットからＭＰ３等の音楽ファイルをダウンロードしてＣＤ−Ｒに記録し、或いはデジタルカメラやスキャナで取得したＪＰＥＧ等の画像（以下、画像というときは主に静止画を指すものとする）ファイルをＣＤ−Ｒに記録する。
【０００７】
ところで、１つの記録媒体（例えば、１枚のＣＤ−Ｒ）に音楽ファイルと画像ファイルを混在して記録した場合、従来からある通常の映像音声再生装置では、記録した順番で順次再生されることになる。例えば、１枚のＣＤ−Ｒに、音楽（１）ファイル、画像（１）ファイル、音楽（２）ファイル、画像（２）ファイルの順で２つの音楽ファイルと２つの画像ファイルとを記録したとする。このＣＤ−Ｒをスピーカとディスプレイ装置とを具備する映像音声再生装置で再生した場合、最初に音楽（１）ファイルが再生されスピーカから対応する音楽が出力されるものの、このときディスプレイ装置には音楽（１)ファイルの属性を示す文字情報等が表示されるだけである。音楽（１）ファイルの再生が終了すると次に画像（１）ファイルが再生されるが、このときは、ディスプレイ装置には対応する画像が表示されるものの、この間スピーカからは何も音声は出力されない。続く音楽（２）ファイル、及び画像（２）ファイルの再生についても同様である。
【０００８】
このような再生形態は必ずしもユーザの嗜好に合致するものではない。多くのユーザは自らの好みで音楽ファイルや画像ファイルを選択し記録する。１つのＣＤ−Ｒに音楽ファイルと画像ファイルを記録した場合、音楽と画像とを同時に視聴したいという願望は極めて自然なものである。
【０００９】
また、車載型の映像音声再生装置の場合、ドライバは連続的に音楽を聴きながら、その一方で後部座席にいるユーザは音楽だけでなく映像も楽しみたいというニーズがある。しかしながら、従来の再生方法では画像ファイルを再生している場合には音楽の再生が中断されることになり、その結果ドライバに対しては快適な音楽環境を提供することができなかった。
【００１０】
既存の映像音声再生装置の中には音楽と映像とを同時に視聴することができる機能を有するものもあるが、同時再生の方法はその映像音声再生装置に固定されたものであり、ユーザの嗜好が十分に反映されたものとはなっていない。
【００１１】
本発明は上記事情に鑑みてなされたものであり、音楽ファイルと画像ファイルとが混在して記録された記録媒体を再生する映像音声再生装置において、音楽と画像とをユーザの好みを反映しつつも簡便な方法で関連付け、関連付けられた音楽と画像とを同時に視聴することができる映像音声再生装置及び映像音声再生方法を提供することを目的とする。
【課題を解決するための手段】
【００１２】
上記課題を解決するため、本発明に係る映像音声再生装置は、音声ファイルと画像ファイルとが混在して記録されている記録媒体を再生する映像音声再生装置において、前記記録媒体からファイル管理情報を入力し、入力した前記ファイル管理情報に基づいて前記音声ファイルと前記画像ファイルとを関連付けるファイル編集部と、前記音声ファイルと前記画像ファイルとをデコードし、前記ファイル編集部にて関連付けられた前記音声ファイルの音声と前記画像ファイルの画像とを同時に視聴できるように再生する映像音声再生部と、外部からの入力情報によって、少なくとも音声優先モードと画像優先モードとを含む再生モードが設定可能なモード設定部と、を備え、前記音声優先モードに設定されたときには、前記ファイル編集部は、前記ファイル管理情報の中から音声ファイルの管理情報を抽出し前記記録媒体に記録されている音声ファイルの記録順に配列する一方、前記ファイル管理情報の中から画像ファイルの管理情報を抽出し、前記音声ファイルに対して前記画像ファイルを１対１又は１対複数に関連付け、前記映像音声再生部は、前記ファイル編集部にて配列された順に前記記録媒体から前記音声ファイルを読み出して順次再生する一方、次の音声ファイルの再生に先立って各音声ファイルに関連付けられた１又は複数の画像ファイルを前記記録媒体から読み出し、読み出した前記１又は複数の画像ファイルと前記各音声ファイルの再生を同時に開始し、各音声ファイルの再生が終了するまで前記画像ファイルをデコードして得られる１枚又は複数枚の静止画像を継続的に再生し続ける、ことを特徴とする。
【発明の効果】
【００１４】
本発明に係る映像音声再生装置及び映像音声再生方法によれば、音楽ファイルと画像ファイルとが混在して記録された記録媒体を再生する映像音声再生装置において、音楽と画像とをユーザの好みを反映しつつも簡便な方法で関連付け、関連付けられた音楽と画像とを同時に視聴することができる。
【発明を実施するための最良の形態】
【００１５】
本発明に係る映像音声再生装置及び映像音声再生方法の実施形態について、添付図面を参照して説明する。
【００１６】
（１）映像音声再生装置の構成
図１は、本発明の一実施形態に係る映像音声再生装置１の構成例を示すブロック図である。
【００１７】
映像音声再生装置１は、記録媒体の一例としての光ディスク１００を再生する光ディスクドライブ１０、ＡＶデコーダ（映像音声再生部）２０、ファイル編集部３０、モード設定部４０、リモートコントローラ５０等を備えて構成されている。
【００１８】
光ディスクドライブ１０は、ＣＤ−Ｒ、ＣＤ−ＲＷ、ＣＤ−ＲＡＭ、ＤＶＤ−Ｒ、ＤＶＤ−ＲＷ、ＤＶＤ−ＲＡＭ等の記録型光ディスク１００を再生する装置であり、図示しない光ピックアップやスピンドルモータ等を内蔵している。
【００１９】
本実施形態に係る映像音声再生装置１は、音声ファイルと画像ファイルとが混在して記録されている光ディスク１００の再生方法に特徴を有するが、音楽ＣＤやオーディオＤＶＤ等のように音声ファイルのみが記録されている光ディスクや、ＤＶＤビデオ等のように音声と映像とがストリームとして記録されている光ディスクの再生を排除するものではない。
【００２０】
ここでいう音声ファイルは、ＭＰ３(MPEG-1 Audio Layer-3)形式[.mp3]、ＷＭＡ(Windows Media Audio)形式[.wma]、ＡＡＣ(Advanced Audio Coding)形式[.aac]、ＷＡＶＥ形式[.wav]等を含む音声専用のファイルであり、特定の具体的なファイル形式に限定するものではない。また、ここでいう画像ファイルは、ＪＰＥＧ（Joint Photographic Experts Group）形式[.jpg]、ＧＩＦ(Graphics Interchange Format)形式[.gif]、ＰＮＧ(Portable Network Graphics)形式[.png]、ＢＭＰ形式[.bmp]等を含む、主に静止画のファイルであり、特定の具体的なファイル形式に限定するものではない。なお、上記の[ ]内は各ファイル形式に対応する拡張子を示している。
【００２１】
ＡＶデコーダ２０は、光ディスクドライブ１０から音声ファイルを入力し、デコード処理した後ＤＡ変換し、アナログ信号としての音声信号を外部のスピーカ３００に出力する。同様に、ＡＶデコーダ２０は、光ディスクドライブ１０から画像ファイルを入力し、デコード処理した後ＤＡ変換し、アナログ信号としてのビデオ信号を外部のディスプレイ装置２００に出力する。
【００２２】
ファイル編集部３０は、光ディスク１００に記録されているファイル管理情報を読み取り、ファイル管理情報に基づいて光ディスク１００に混在して記録されている音声ファイルと画像ファイルとを関連付ける処理を行う。また、ファイル編集部３０は、関連付けられた音声ファイルの音声と画像ファイルの静止画が同時に視聴できるように、光ディスクドライブ１０に対する読み取り制御と、ＡＶデコーダ２０に対する再生制御とを行う。これらの動作については後述する。
【００２３】
モード設定部４０は、本実施形態に係る映像音声再生装置１が有する複数の再生モードを設定する。例えば音声優先モードや画像優先モードといった再生モードを設定する。これの再生モードの設定は、ユーザがリモートコントローラ５０を操作することによって行われる。
【００２４】
図１に示した映像音声再生装置１は、光ディスク１００を記録媒体としたときの構成例であるが、本発明にて再生の対象とする記録媒体は光ディスク１００に限定されるものではない。例えば、ＨＤＤ（Hard Disk Drive）で再生される磁気ディスクや、ＭＯ（Magneto-Optical disk）ドライブで再生される光磁気ディスクも本発明にて再生の対象とする記録媒体となる。
【００２５】
また、ＵＳＢメモリ、ＳＤカード、コンパクトフラッシュ、メモリスティック等のリムーバブル半導体メモリ等も本発明にて再生の対象とする記録媒体となる。
【００２６】
（２）動作（映像音声再生方法）
上記のように構成された映像音声再生装置１の動作について、特に、音声と静止画とを同時に再生する映像音声再生方法について以下に説明する。
【００２７】
図２は、映像音声再生装置１で再生する光ディスク１００（例えばＣＤ−Ｒ）に記録されたファイルの一例を示す図である。図２に示した例では、ＭＰ３形式の７つの音楽ファイル（ファイル名として、音楽ファイル（１）〜音楽ファイル（７））と、ＪＰＥＧ形式の５つの画像ファイル（ファイル名として、画像ファイル（１）〜画像ファイル（５））とが混在して記録されている。
【００２８】
各音声ファイルは、例えば、ユーザがインターネットを介して取得し、或いは音楽ＣＤから個人ユースとして複製して作成したものである。また、各画像ファイルは、例えば、スキャナやデジタルカメラで取得したものである。
【００２９】
図２は、これらの音声ファイルや画像ファイルをパーソナルコンピュータのディスク記録用アプリケーションソフトウェアを使用して光ディスク１００に適宜の順序で記録したものを例示している。
【００３０】
図３は、本実施形態に係る映像音声再生方法との比較のため、従来の再生方法を用いて、これらのファイルが記録された光ディスク１００を再生したときの状況を示した図である。
【００３１】
従来の再生方法では、トラック番号を個別にいちいち指定するといった特別の操作をしない限り、通常は光ディスク１００の記録順に先頭から再生されることになる。本例での光ディスク１００には、図２に示したように、先頭から、音声ファイル（１）、音声ファイル（２）、画像ファイル（１）、画像ファイル（２）、音声ファイル（３）、音声ファイル（４）といった順序で記録されている。
【００３２】
従って、図３（ａ）に示したように、まず、先頭の音楽ファイル（１）が光ディスク１００から読み取られ、引き続き図３（ｂ）に示したように音声のデコードと再生が行われる。音声ファイル（１）の再生が終了すると、次に音声ファイル（２）が光ディスク１００から読み取られ、音声のデコードと再生が行われる。この間、画像ファイルに対する処理は行われないため、ディスプレイ装置には画像は表示されない。なお、音声ファイルの再生中にその属性情報を表わす文字情報等がディスプレイ装置に表示される場合があるが、ここではこれらの文字情報等の表示は画像表示とは呼ばないものとする。
【００３３】
音楽ファイル（２）の再生が終了すると、次に光ディスク１００から画像ファイル（１）が読み出されデコードされる。デコードされた静止画はＡＶデコーダ２０の適宜のメモリに保持され、所定のフレームタイムで繰り返し読み出されて再生され、ディスプレイ装置２００に表示される。静止画は予め定めた表示期間Ｔだけ継続的に再生され、表示期間Ｔの経過後画像ファイル（１）の再生が終了する。
【００３４】
画像ファイル（１）の再生が終了すると画像ファイル（２）が光ディスク１００から読み出され同様にして表示期間Ｔだけ継続的に再生される。画像ファイル（１）、（２）の再生中には音声ファイルの処理は行われないため、この間はスピーカ３００からは音声が途切れてしまうことになる。
【００３５】
画像ファイル（２）の次に記録されているのは音声ファイル（３）であるため、画像ファイル（２）の再生が終了した後、音声ファイル（３）の再生が行われる。
【００３６】
このように、光ディスク１００に音声ファイルと画像ファイルとが混在して記録されている場合、従来の再生方法ではそれぞれのファイルが順番に処理されて再生されるため、スピーカ３００から音楽を再生しているときにはディスプレイ装置２００には画像が表示されず、逆にディスプレイ装置２００に画像が表示されているときにはスピーカ３００からの音声が途絶えることになる。このような視聴形態は、音楽と画像とを同時に楽しみたいとするユーザに対して十分な満足感を与えるものではない。
【００３７】
そこで、本実施形態に係る映像音声再生装置１では、光ディスク１００に音声ファイルと画像ファイルとが混在して記録されている場合であっても、音声と画像とを同時に視聴することが可能な再生モードを具備させている。また、いくつかのヴァリエーションを持った複数の再生モードを具備させ、複数の再生モードの中からユーザの好みに応じた再生モードを選択できるようにしている。以下、具体的に説明する。
【００３８】
本実施形態では、再生モードとして、音声優先モードと画像優先モードとを有している。さらに夫々の再生モードはノーマルモードとランダムモードと呼ぶ２つの再生モードを有している。
【００３９】
（３）音声優先モード
図４は、再生モードとして音声優先モード及びノーマルモード（以下、音声優先モード（ノーマル）と略す）が選択されたときのファイル編集部３０の処理を示す図である。ファイル編集部３０の重要な機能に１つは、音声ファイルと画像ファイルとを関連付ける機能である。
【００４０】
まず、ファイル編集部３０は、光ディスク１００に記録されているファイル管理情報を読込む。ファイル管理情報には、光ディスク１００に実際に記録されているファイルのファイル名称やファイルの種類を示す拡張子が含まれており、その配列は光ディスク１００に記録されているファイルの順序に対応している。
【００４１】
音声優先モード（ノーマル）では、光ディスク１００に含まれているファイルの中から音声ファイルだけをまず抽出して音声ファイルの記録順に配列する。つぎに、光ディスク１００のファイルの中から画像ファイルを抽出し、配列した音声ファイルの１つ１つに対して画像ファイルを１対１に関連付けていく。このときも画像ファイルの記録順に１対１に関連付けていく。
【００４２】
光ディスク１００に記録されている音声ファイルの数と画像ファイルの数が同一である場合には、単純に１対１に関連付けが行われる。一方、音声ファイルの数と画像ファイルの数が異なる場合はそのまま単純に１対１の関連付けができない。
【００４３】
この場合、音声ファイルの数よりも画像ファイルの数が多い場合は、記録順序の古いほうから余った画像ファイルを切り捨てて音声ファイルの数と画像ファイルの数を一致させた後、１対１の関連付けを行う。一方、音声ファイルの数よりも画像ファイルの数が少ない場合は、図４に示したように、画像ファイルの一部を記録順序の新しい方から繰り返して不足分を補充する。このように音声優先モード（ノーマル）では、光ディスク１００に含まれる音声ファイルを基準とした関連付けが行われる。
【００４４】
音声ファイルと画像ファイルの関連付け処理が終了すると、ファイル編集部３０は、音声と静止画とを同時に視聴することができように、光ディスク１００とＡＶデコーダ２０に対して制御を行う。即ち、関連付けられた音声ファイルの音声と、画像ファイルの静止画とを同時に再生するための制御を行う。
【００４５】
図５は、ファイル編集部３０の制御によって実現される、ファイルの読み取り、デコード、及び再生のシーケンスの一例を示す図である。
【００４６】
まず、音声ファイル（１）の再生に先立ち、音声ファイル（１）と関連付けられている画像ファイル（１）を光ディスク１００から読み取り、これをデコードする（図５（ｃ）参照）。デコードされた静止画はＡＶデコーダ２０内の適宜の画像メモリに保持され、所定のフレームレートで繰り返し読み出され、ディスプレイ装置２００に継続的に表示される（図５（ｄ）参照）。
【００４７】
一方、画像ファイル（１）の読み出しが終了した後は、光ディスク１００に対して直ちにアクセスして、音声ファイル（１）を読み取り（図５（ａ）参照）、これとほぼ並行して読み出した音声ファイル（１）をデコードし再生する（図５（ｂ）参照）。この再生は音声ファイル（１）の再生が総て終了するまでが行われる。
【００４８】
音声ファイル（１）の再生が終了すると直ぐに次の音声ファイル（２）の再生が開始されるが、音声ファイル（２）の再生に先立ち、光ディスク１００から画像ファイル（２）の読み取りが行われる。音声ファイル（１）の再生が終了する前に既に光ディスク１００からの音声ファイル（１）の読み取りは終了している。従って音声ファイル（１）の再生が終了する前であっても画像ファイル（２）の読み取りは可能である。
【００４９】
光ディスク１００から読み取られた画像ファイル（２）は直ぐにデコードされ、音楽ファイル（２）の再生開始とほぼ同時に画像ファイル（２）の再生が開始される。
【００５０】
このように、本実施形態に係る映像音声再生装置１及び映像音声再生方法によれば、光ディスク１００に記録された音声ファイルが順次途切れることなくスピーカ３００から再生される一方、各音声ファイルに関連付けられた画像ファイルの静止画をディスプレイ装置２００に音声と同時再生することが可能となる。
【００５１】
図６は、音声優先モード及びランダムモード（音声優先モード（ランダム））を選択したときの音声ファイルと画像ファイルとの関連付けを例示する図である。音声優先モード（ランダム）では、音声ファイルを記録順に配列した後、光ディスク１００の中から画像ファイルをランダムに抽出して音声ファイルと１対１に関連付けている。この結果、音声は光ディスク１００の記録順にスピーカ３００から再生されるものの、静止画は記録の順序に関わらずランダムな順序でディスプレイ装置２００に表示されることになる。
【００５２】
このほか、一旦自動的に関連付けた画像ファイルをユーザが自由に変更できるようにしてもよい。例えば、音声優先モード（ノーマル）によって関連付けられた音声ファイルの名称と画像ファイルの名称とをディスプレイ装置２００に表示し、ユーザが表示画面を見ながら自由に組合せを変更できるようにしてもよい。
【００５３】
ここまでの説明では、音声ファイルと画像ファイルの関連付けを１対１としてきたが、１対ｎ（ｎは２以上）としてもよい。
【００５４】
図７は、音声ファイルと画像ファイルの関連付けを１対２としたときの例を示す図である。例えば、音声ファイル（１）に対して画像ファイル（１）と画像ファイル（２）の２つの画像ファイルを関連付ける。同様に、音声ファイル（２）に対して画像ファイル（３）と画像ファイル（４）の２つの画像ファイルを関連付ける。
【００５５】
図８は、１対２によって関連付けられた音声ファイルと画像ファイルの読み取り、デコード、再生のシーケンスの一例を示す図である。
【００５６】
この場合、音声ファイル（１）の再生に先立ち、関連付けられた２つの画像ファイル（１）及び（２）が光ディスク１００から読み取られる（図８（ｃ）参照）。読み取られた２つの画像ファイルはデコードされてＡＶデコーダ２０内の適宜の画像メモリに保持される。
【００５７】
光ディスク１００から音声ファイル（１）の読み取りが開始されると、これとほぼ同時並行して音声ファイル（１）のデコードと再生も開始される（図８（ａ）及び（ｂ）参照）。
【００５８】
一方、保持されている画像ファイル（１）の静止画の再生も、音声ファイル（１）の再生と同時に開始される。この静止画の再生は、音声ファイル（１）の再生期間の１／２まで継続され、その後画像ファイル（２）の静止画の再生に切り換える。画像ファイル（２）の再生は音声ファイル（１）の再生が終了するまで行われる。
【００５９】
音声ファイル（１）の再生が終了すると直ぐに音声ファイル（２）の再生が開始されるが、音声ファイル（２）の再生に先立ち、画像ファイル（３）及び（４）の読み取りとデコードが行われる。この処理自体は先に説明した１対１の関連付けのときと同様のものである。
【００６０】
音楽ファイルと画像ファイルとを１対ｎで関連付けた場合、音楽ファイルを記録順に連続的に再生する一方、１つの音楽ファイルに関連付けられたｎ個の画像ファイル（ｎ枚の静止画）を、対応する音楽ファイルの再生期間中に順次切り換えながら同時に再生することが可能となる。
【００６１】
（４）画像優先モード
次に、画像優先モードについて説明する。
【００６２】
図９は、再生モードとして画像優先モード及びノーマルモード（以下、画像優先モード（ノーマル）と略す）が選択されたときのファイル編集部３０の処理を示す図である。
【００６３】
画像優先モード（ノーマル）では、光ディスク１００に含まれているファイルの中から画像ファイルだけをまず抽出して画像ファイルの記録順に配列する。つぎに、光ディスク１００のファイルの中から音声ファイルを抽出し、配列した画像ファイルの１つ１つに対して音声ファイルを１対１に関連付けていく。このときも音声ファイルの記録順に１対１に関連付けていく。
【００６４】
画像優先モード（ノーマル）では、光ディスク１００に含まれる画像ファイルを基準とした関連付けが行われる。即ち、光ディスク１００に記録されている画像ファイルの数と音声ファイルの数が同一である場合には、単純に１対１に関連付けが行われるが、画像ファイルの数よりも音声ファイルの数が多い場合は、記録順序の古いほうから余った音声ファイルが切り捨てられる。図９の例では、光ディスク１００に記録されている画像ファイルの数は５つであり、音声ファイルの数は７つである。このような場合、音声ファイル（６）と音声ファイル（７）の２つの音声ファイルが切り捨てられ、残った５つの音声ファイルが画像ファイルと１対１に関連付けられる。
【００６５】
一方、画像ファイルの数よりも音声ファイルの数が少ない場合は、音声ファイルの一部を記録順序の新しい方から繰り返して不足分を補充する。
【００６６】
図１０は、画像優先モード（ノーマル）が設定されたときにファイル編集部３０の制御によって実現される、ファイルの読み取り、デコード、及び再生のシーケンスの一例を示す図である。
【００６７】
画像優先モードでは再生シーケンスにおいても画像の再生が優先される。即ち、静止画の再生期間として予め設定された期間Ｔを基準にして、この再生期間Ｔ毎に静止画を順次切り換えて表示するシーケンスである。
【００６８】
まず、光ディスク１００の先頭側に記録されている画像ファイル（１）を光ディスク１００から読み取り、これをデコードする（図１０（ｃ）参照）。デコードされた静止画はＡＶデコーダ２０内の適宜の画像メモリに保持され、所定のフレームレートで繰り返し読み出され、ディスプレイ装置２００に継続的に表示される（図１０（ｄ）参照）。画像ファイル（１）の読み出しが終了した後は、光ディスク１００に対して直ちにアクセスして、音声ファイル（１）を読み取り（図１０（ａ）参照）、これとほぼ並行して読み出した音声ファイル（１）をデコードし再生する（図１０（ｂ）参照）。
【００６９】
画像ファイル（１）の静止画は、設定されている再生期間Ｔの間継続的に表示され、再生期間Ｔが経過すると直ちに次の画像ファイル（２）の静止画に切り替えられる。このため、画像ファイル（１）の再生が終了する前に画像ファイル（２）が光ディスク１００から読み出されデコード処理が行われる。
【００７０】
一方、音声ファイル（１）の再生は、画像ファイル（１）の再生が終了すると次の音楽ファイル（２）の再生に切り換えられる。
【００７１】
予め設定されている静止画の再生期間Ｔと音楽ファイルの再生時間は必ずしも一致しない。このため、例えば、音楽ファイル（２）のように再生時間が静止画の再生期間Ｔよりも長い場合は再生の途中で強制的に打ち切られる。逆に、音楽ファイル（３）や音楽ファイル（４）のように再生時間が静止画の再生期間Ｔよりも短い場合は、再生期間Ｔに達するまで音楽ファイルの先頭からリピートして再生される。
【００７２】
このように、画像優先モード（ノーマル）では画像の再生が優先されるが、関連付けられた画像ファイルの静止画と音声ファイルの音声が同時に再生されるという点に関しては音声優先モード（ノーマル）と同様である。
【００７３】
図１１は、画像優先モード及びランダムモード（画像優先モード（ランダム））を選択したときの画像ファイルと音声ファイルとの関連付けを例示する図である。画像優先モード（ランダム）では、画像ファイルを記録順に配列した後、光ディスク１００の中から音声ファイルをランダムに抽出して画像ファイルと１対１に関連付けている。この結果、静止画は光ディスク１００の記録順にディスプレイ装置２００に表示されるものの、音声、例えば音楽は、記録の順序に関わらずランダムな曲順でスピーカ３００から再生されることになる。なお、一旦自動的に関連付けた音声ファイルをユーザが自由に変更できるようにしてもよい。
【００７４】
音声優先モード或いは画像優先モードにおける音声ファイルと画像ファイルとの関連付けの方法には、上述した記録順やランダム順の他にも種々の形態が考えられる。例えば、ファイル名称を用いた関連付けとしてもよい。
【００７５】
図１２は、音声優先モードにおいて、同一のファイル名称の音楽ファイルと画像ファイルとを関連付ける形態について例示したものである。
【００７６】
ユーザは光ディスク１００にファイルを記録するときに任意のファイル名称を付けることができる。そこで、同時に視聴したい音声ファイルと画像ファイルに対して同じファイル名称を付けて記録する。ファイル編集部３０では、光ディスク１００のファイル管理情報の中から同一のファイル名称の音楽ファイルと画像ファイルとを検索し、これら２つのファイルを互いに関連付ける。関連付けられた音声ファイルと画像ファイルとは前述した処理によって同時に再生される。つまり、同じファイル名称の音声（例えば音楽）と静止画とを同時に視聴することができる。
【００７７】
以上説明してきたように、本実施形態に係る映像音声再生装置１及び映像音声再生方法によれば、音声ファイルと画像ファイルとが混在して記録された記録媒体であっても、音楽と画像とをユーザの好みを反映しつつも簡便な方法で関連付け、関連付けられた音楽と画像とを同時に視聴することができる。
【００７８】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７９】
【図１】本発明の実施形態に係る映像音声再生装置の構成例を示すブロック図。
【図２】記録媒体に混在して記録されている音声ファイルと画像ファイルの一例を示す図。
【図３】従来の再生方法による、読み取り、デコード、及び再生のシーケンス例を示す図。
【図４】音声優先モード（ノーマル）における、音声ファイルと画像ファイルとの関連付けの一例を説明する図。
【図５】音声優先モード（ノーマル）における、読み取り、デコード、及び再生のシーケンス例を示す図。
【図６】音声優先モード（ランダム）における、音声ファイルと画像ファイルとの関連付けの一例を説明する図。
【図７】音声ファイルと画像ファイルとの関連付けを１対複数とした場合の関連付けの一例を説明する図。
【図８】音声ファイルと画像ファイルとの関連付けを１対複数とした場合の、読み取り、デコード、及び再生のシーケンス例を示す図。
【図９】画像優先モード（ノーマル）における、音声ファイルと画像ファイルとの関連付けの一例を説明する図。
【図１０】画像優先モード（ノーマル）における、読み取り、デコード、及び再生のシーケンス例を示す図。
【図１１】画像優先モード（ランダム）における、音声ファイルと画像ファイルとの関連付けの一例を説明する図。
【図１２】ファイル名称によって関連付けを行った場合の関連付けの一例を説明する図。
【符号の説明】
【００８０】
１  映像音声再生装置
１０  光ディスクドライブ
２０  ＡＶデコーダ（映像音声再生部）
３０  ファイル編集部
４０  モード設定部
５０  リモートコントローラ
【図１】
0005074847.tif 000002
【図２】
0005074847.tif 000003
【図３】
0005074847.tif 000004
【図４】
0005074847.tif 000005
【図５】
0005074847.tif 000006
【図６】
0005074847.tif 000007
【図７】
0005074847.tif 000008
【図８】
0005074847.tif 000009
【図９】
0005074847.tif 000010
【図１０】
0005074847.tif 000011
【図１１】
0005074847.tif 000012
【図１２】
0005074847.tif 000013